(57)【要約】      （修正有）【課題】庫外側から操作ハンドルを引き出し回転させると、ラッチ部材が解錠位置に駆動され、庫体に対する扉の錠止が解除される一方、扉の背面側に固着された固定ベースのガイド孔と、扉を前後に貫通する受孔に庫内側押棒が挿通されており、庫内側から前記庫内側押棒を押すことによって、前記ラッチ部材が解錠位置に駆動されるようにした庫内側解錠機構付き扉用ロックハンドル装置において、庫内側押棒の凍結固定を回避する。【解決手段】扉３に形成した受孔９の内面と庫内側押棒１の外面との間の空間に、断熱性材料よりなる封止部材７を装着し、前記封止部材７の内面と前記庫内側押棒１の外面とを庫内側押棒１が摺動可能であるように密着させる。【選択図】図１
2006037652.tif 000002
【特許請求の範囲】
【請求項１】
扉の正面側に固着された固定本体に対して操作ハンドルが横断枢軸によって枢着されており、庫体側に固着された受金と係脱するラッチ部材を前記固定本体に備えており、庫外側から前記操作ハンドルを引き出し回転させると、前記ラッチ部材が解錠位置に駆動され、庫体に対する扉の錠止が解除される一方、扉の背面側に固着された固定ベースのガイド孔と、扉を前後に貫通する受孔に庫内側押棒が挿通されており、庫内側から前記庫内側押棒を押すことによって、前記ラッチ部材が解錠位置に駆動されるようにした庫内側解錠機構付き扉用ロックハンドル装置において、
扉に形成した前記受孔の内面と前記庫内側押棒の外面との間の空間に、断熱性材料よりなる封止部材を装着し、前記封止部材の内面と前記庫内側押棒の外面とを庫内側押棒が摺動可能であるように密着させたことを特徴とする庫内側解錠機構付き扉用ロックハンドル装置。
【発明の詳細な説明】
【技術分野】
【０００１】
本発明は、ウォークイン型の業務用大型冷凍庫等の扉に使用される庫内側解錠機構付きの扉用ロックハンドル装置に関するものである。
【背景技術】
【０００２】
この扉用ロックハンドル装置の固定本体は扉の正面側に固着され、庫外側から操作される操作ハンドルが横断枢軸によって前記固定本体に枢着され、庫体側に固着した受金と係脱するラッチ部材が前記固定本体に装備され、前記操作ハンドルを引き出し回転させると、前記ラッチ部材が解錠位置に駆動され、庫体に対する扉の錠止が解除される（例えば特許文献１参照）。
【０００３】
業務用大型冷凍庫では、冷凍機の運転状態において収蔵品の整理や搬出入の作業を行なうため、誤って作業員が庫内に閉じ込められる場合を想定して、前記ラッチ部材を庫内側から解錠位置に駆動するための庫内側解錠機構を備えている（例えば特許文献１及び特許文献２参照）。
【０００４】
この庫内側解錠機構は、扉の背面側に固着された固定ベースと、前記固定ベースのガイド孔と扉の前後方向に貫通する受孔とに挿通される庫内側押棒とで構成されており、閉じ込められた作業員が前記庫内側押棒を押すことによって、適当な仲介部材を介して前記ラッチ部材が解錠位置に駆動され、当該作業員が即座に自力脱出できるように設計されている（特許文献２参照）。
【０００５】
しかしながら、庫内と庫外間に大きな温度差のある冷凍庫では、扉の前記受孔の内面と庫内側押棒の外面間の隙間に侵入してきた外気中の水分が庫内冷気に触れて凍結し、庫内側押棒が扉に固定されてしまうことによって、本当に必要とする時に作業員が庫内側押棒を押せないという事態が発生した。
【０００６】
このような庫内側押棒の凍結固定を回避するために、加熱用ヒータを内蔵させた庫内側解錠機構も既に提案されているが（例えば特許文献２及び特許文献３参照）、ヒータ内蔵型のものは部品コストがその分だけ高くなり、また、給電用配線を特別に施さなければならない取付け作業上の煩雑性があり、さらにまた、扉開閉時に受ける振動衝撃によって当該配線やヒータ線が断線事故を起すことがあり、保守コストが余分にかかるという難点もあった。
【０００７】
【特許文献１】特許第２７９７２７６号公報
【特許文献２】実開昭５６−５９８７号公報
【特許文献３】特開平８−１９３７８１号公報
【発明の開示】
【発明が解決しようとする課題】
【０００８】
本発明の課題は、部品や部材コストを節減でき、取付け作業上の煩雑性がなく、余分な保守コストがかからない庫内側解錠機構を備えた扉用ロックハンドル装置を提供することである。
【課題を解決するための手段】
【０００９】
本発明の主たる特徴は、扉の正面側に固着された固定本体に対して操作ハンドルが横断枢軸によって枢着されており、庫体側に固着された受金と係脱するラッチ部材を前記固定本体に備えており、庫外側から前記操作ハンドルを引き出し回転させると、前記ラッチ部材が解錠位置に駆動され、庫体に対する扉の錠止が解除される一方、扉の背面側に固着された固定ベースのガイド孔と、扉を前後に貫通する受孔に庫内側押棒が挿通されており、庫内側から前記庫内側押棒を押すことによって、前記ラッチ部材が解錠位置に駆動されるようにした庫内側解錠機構付き扉用ロックハンドル装置において、
扉に形成した前記受孔の内面と前記庫内側押棒の外面との間の空間に、断熱性材料よりなる封止部材を装着し、前記封止部材の内面と前記庫内側押棒の外面とを庫内側押棒が摺動可能であるように密着させたことである。
【発明の効果】
【００１０】
本発明では、扉に形成した受孔の内面と前記庫内側押棒の外面との間の空間に、断熱性材料よりなる封止部材を装着し、前記封止部材の内面と前記庫内側押棒の外面とを庫内側押棒が摺動可能であるように密着させてあるので、封止部材の内面と前記庫内側押棒の外面間に、湿った庫外空気が侵入して冷たい庫内空気に接触することがない。庫内側押棒の凍結現象を確実に防止できるため、必要に応じて直ちに庫内側押棒を押して扉を庫内側から解除し、開放することができる。
【００１１】
このように庫内側押棒の凍結防止は、内蔵ヒータによる加熱ではなく、封止部材による断熱と内外空気の接触防止によるものであるから、内蔵ヒータ利用の場合と違い、部品や部材コストを節減することができる。また、面倒な配線作業をなくすことができるから、取付け作業の煩雑性がない。さらにまた、配線やヒータ線の断線事故の心配もないから、余分な保守コストがかからない。
【発明を実施するための最良の形態】
【００１２】
扉用ロックハンドル装置の各部品および庫内側解錠機構の固定ベース、庫内側押棒はいずれも金属材料により機械的衝撃に対して剛に構成するのが望ましい。
封止部材は、封止部材の内面と庫内側押棒の外面とが密着するものであれば、剛体や硬い材料で構成することもできるが、通常はスポンジ状に発泡加工した合成ゴム材料またはプラスチック材料で構成される。
【実施例】
【００１３】
図示の実施例では、庫内側押棒１は横断面が十文字状の金属棒材で構成されており、その内端部には手当て用パッド体２が連結されている。扉３の背面側に固着される固定ベース４には、中央部に十文字状のガイド孔５を形成してある。固定ベース４のガイド筒部４ａと前記パッド体２との間には、庫内側押棒１を待機位置に復帰付勢するための圧縮コイルバネ６を挿入してあり、該圧縮コイルバネ６は庫内側押棒１に嵌められている。
【００１４】
封止部材７はスポンジ状の発泡プラスチック体で構成されており、図２に示したように横断面円形状に形成された発泡プラスチック体の中央部には、庫内側押棒１と同一断面の十文字状貫通孔８が形成されている。発泡プラスチック体は長尺部材であり、実際の扉３の厚さに対応してカッターナイフで適宜長さに切断して使用される。かくして得られた封止部材７は、扉３に前後方向に貫通形成された円形状の受孔９に押込むことによって装着される。
【００１５】
封止部材７は、その外面が前記受孔９の内面に密着するように押込まれており、これによって封止部材７の内面と庫内側押棒１の外面との密着状態が更に確実に維持されるようになっている。封止部材７は、前記受孔９の全長にわたって密に充填されている。
【００１６】
扉用ロックハンドル装置１０の構造としては、図示のものに限定されず、従来公知のものを適宜採用することができる。
図示の構造では、固定本体１１が扉３の正面側に固着され、受金１２が庫体１３のエッジ部正面に固着されている。操作ハンドル１４は横断枢軸２０によって固定本体１１に枢着されており、扉３の正面と平行に進退するように固定本体１１に装備されたラッチ部材１５は、圧縮コイルバネ１６によって突出方向に摺動付勢されている。
固定本体１１の基板１７の貫通孔１８には、庫内側押棒１の外端部が挿入されている。
【００１７】
操作ハンドル１４には枢軸２０によって駆動レバー２１と解除レバー２２が枢着されている。解除レバー２２の受動端部２３は前記基板１７の貫通孔１８の前面側に配置されている。前記受動端部２３には、前記駆動レバー２１の連動端部２５に当接可能な連動用翼板２４を突設してある。駆動レバー２１の駆動端部２６は、ラッチ部材１５の受動部１９に係合している。
【００１８】
ロックレバー２７の基端部は枢軸２８によってラッチ部材１５の中間部に枢着され、前記基板１７に突設したバネ受板部２９に当接可能な平坦面部３０が、ロックレバー２７の基端部側面に形成されている。該バネ受板部２８に当接しない逃げ面部３１が、ロックレバー２７の基端部背面に形成されている。ロックレバー２７の先端部には、外部錠前のロック棒３２が係合する受け止め凹部３３を形成されている。ロックレバー２７の中間部には、前記解除レバー２２の駆動端部３４が当接する受動ピン３５を突設してある。
【００１９】
この扉用ロックハンドル装置では、図１において操作ハンドル１４の握り部を手前に引いて、操作ハンドル１４を枢軸２０を中心に反時計回り方向に回動させると、操作ハンドル１４の操作端部３６が解除レバー２２の駆動端部３４を押すので、解除レバー２２が枢軸２０を中心に反時計回り方向に回動し、該駆動端部３４が受動ピン３５を背面側に押す。これによってロックレバー２７が枢軸２８を中心に時計回り方向に回動し、基端部背面の逃げ面部３１がバネ受板部２９に非接触で回動する。
【００２０】
更に操作ハンドル１４の前記回転操作が続くと、駆動レバー２１が枢軸２０を中心に反時計回り方向に回動し、前記駆動端部２６によってラッチ部材１５の受動部１９を右側に牽引する。ラッチ部材１５がバネ１６の付勢に抗して充分に後退摺動したとき、ラッチ部材１５の先端部が受金１２から離脱し、庫体１３に対する扉３の錠止が解除され、扉３は操作ハンドル１４を更に引くことによって開放される。
【００２１】
操作ハンドル１４から手を離したとき、ラッチ部材１５はバネ１６の作用によって固定本体１１の左側面壁部３７から突出し、これに連動して操作ハンドル１４が枢軸２０を中心に逆回動し、元の位置に自動的に復帰する。扉３を閉鎖回転させたとき、ラッチ部材１５の先端部の円弧状背面３８が受金１２に衝接するため、ラッチ部材１５は自動的に若干後退摺動する。このとき、ロックレバー２７の先端受止め凹部３３は固定本体１１の側壁面部の貫通孔３９の一部を横切るようにラッチ部材１５と一体的に移動する。
【００２２】
ラッチ部材１５の先端部が受金１２の先端部を背面側に通過した瞬間にラッチ部材１５がバネ１６の付勢によって前進摺動し、受金１２の背面側に深く係合する。これにより扉３が庫体１３に再び錠止される。営業終了後に扉３を本格的に施錠するときには、固定本体１１の前記貫通孔３９と基板１７の立上がり壁部４０の貫通孔４１に、南京錠等の外部錠前のロック棒３２が挿通される。このようにロック棒３２が挿通された状態では、操作ハンドル１４を解錠方向に回そうとするとき、操作ハンドル１４の前記操作端部３６がロック棒３２の側面に突き当るため、操作ハンドル１４の回転操作は不可能である。
【００２３】
冷凍庫内で作業中に外部から誤って扉３を閉鎖施錠されたときには、閉じ込められた作業員は、扉３の受孔９と基板１７の透孔１８に挿通された庫内側押棒１を押せばよい。これによって解除レバー２２の前記受動端部２３が前方に押されるため、解除レバー２２は枢軸２０を中心に反時計回り方向に回動する。この回動によって解除レバー２２の駆動端部３４がロックレバー２７の前記受動ピン３５を押すため、ロックレバー２７がロック棒３２から離脱する方向に回動し、ラッチ部材１５の拘束が解除される。
【００２４】
庫内側押棒１を更に押すと、解除レバー２２の前記受動端部２３が前記翼板２４によって駆動レバー２１の前記受動端部２５を押すため、駆動レバー２１が前記駆動端部２６でラッチ部材１５の前記受動部１９を右側に牽引し、ラッチ部材１５は解錠方向に後退摺動させられる。
そのため、庫内側押棒１を更に押すことによって、扉３はロック棒３２が前期貫通孔３９，４１に挿通された施錠状態においても、庫内側から開放することができ、閉じ込められた作業員は直ちに脱出できる。
【図面の簡単な説明】
【００２５】
【図１】本発明の一実施例に係る庫内側解錠機構付き扉用ロックハンドル装置の装着状態の中央縦断面図であり、扉は閉鎖位置に錠止された状態にある。
【図２】図１の庫内側解錠機構において組み込まれる封止部材の斜視図である。
【図３】図１の庫内側解錠機構の要部横断面図である。
【符号の説明】
【００２６】
１  庫内側解錠機構の庫内側押棒
２  庫内側押棒のパッド体
３  扉
４  庫内側解錠機構の固定ベース
５  ガイド孔
６  庫内側解錠機構の復帰用圧縮コイルバネ
７  封止部材
８  貫通孔
９  受孔
１０  扉用ロックハンドル装置
１１  固定本体
１２  受金
１３  庫体
１４  操作ハンドル
１５  ラッチ部材
１６  ラッチ部材の復帰用バネ
１７  固定本体の基板
１８  基板の貫通孔
２０  横断枢軸
２１  駆動レバー
２２  解除レバー
２７  ロックレバー
【図１】
2006037652.tif 000003
【図２】
2006037652.tif 000004
【図３】
2006037652.tif 000005